(57)【特許請求の範囲】
【請求項１】
交流電源からの交流電圧を直流電圧にして平滑化し、遊技機内部に電源を供給する電源回路部と、該電源回路部と前記交流電源との間に設けられたリレーと、該リレーを駆動するリレー駆動回路と、過電圧が印加された場合に前記リレーの接点をオフするための信号を前記リレー駆動回路に入力する過電圧検出回路を有する遊技機用電源装置であって、
前記電源回路部で平滑化された電源を前記リレー駆動回路に供給するリレー電源供給路が設けられるとともに、
該リレー電源供給路に、前記電源回路部からリレー駆動回路に電圧を供給する方向の電流の流れは許容する一方、これと反対方向の電流の流れを阻止する電流規制部が設けられた
遊技機用電源装置。
【請求項２】
前記電流規制部がダイオードで構成された
請求項１に記載の遊技機用電源装置。
【発明の詳細な説明】
【技術分野】
【０００１】
この発明は、過電圧が不測に印加されたときに内部回路を保護する回路を備えた遊技機用電源装置に関し、より詳しくは、コストを抑えつつも長寿命化を図れるような遊技機用電源装置に関する。
【背景技術】
【０００２】
一般に、遊技機としてのパチンコ機には交流２４Ｖの電源が供給され、パチンコ機とともに設置される貸し玉機などの台間機には交流１００Ｖの電源が供給される。このように、隣り合う機械ごとに供給すべき電圧が異なるが、それらの機械に接続するプラグは同一である。このため、交流１００Ｖの電源をパンチコ機に誤って接続した場合には、パチンコ機の内部回路が損傷してしまう。
【０００３】
このため、下記特許文献１の図１に開示されたような電源装置が用いられてきた。
【０００４】
すなわち、図１０を用いて説明すると、電源装置１０１は、主スイッチ１０２と、交流電源１０３からの交流電圧を直流電圧にして平滑化し、遊技機内部に電源を供給する電源回路部１０４と、該電源回路部１０４と前記交流電源１０３との間に設けられたリレー１０５と、該リレー１０５を駆動するリレー駆動回路１０６と、過電圧が印加された場合に前記リレー１０５の接点をオフするための信号を前記リレー駆動回路１０６に入力する過電圧検出回路１０７を有する。前記リレー１０５と、リレー駆動回路１０６と、過電圧検出回路１０７が、過電圧保護回路部１０８の一部を構成する。前記電源回路部１０４のうちの、図中１０４ａはダイオード・ブリッジ、１０４ｂは電解コンデンサ、１０４ｃはＤＣ／ＤＣコンバータ、１０４ｄは第２電解コンデンサ、１０４ｅは接点である。
【０００５】
この電源装置１０１においては、不測に過電圧が印加されると、過電圧検出回路１０７が過電圧を検出してリレー駆動回路１０６にリレー１０５をオフする信号を出力してリレー駆動回路１０６によってリレー１０５をオフする。この動作によって、過電圧が電源回路部１０４に印加されるのを阻止する。
【０００６】
ところで、この電源装置１０１において前記リレー１０５のための電源は、リレー１０５の安定動作のために平滑化される必要があるため、電源回路部１０４と同様に、ダイオード・ブリッジ１０９と電解コンデンサ１１０を備える。この電解コンデンサ１１０は、１００Ｖにも耐えられる耐電圧性が要求されるため、静電容量は小さいが耐電圧の高い小さな電解コンデンサ１１０が用いられている。
【０００７】
これに対して、前記電源回路部１０４の電解コンデンサ１０４ｂは、遊技機内部に電源を供給するものであるため、過電圧保護回路部１０８の電解コンデンサ１１０よりも静電容量が大きい電解コンデンサ１０４ｂが用いられている。
【０００８】
電解コンデンサは、ほかの回路部品が長期間にわたって使用できるのに対して、それよりも寿命が短い。しかも、一般に静電容量の小さな電解コンデンサは、大きい電解コンデンサよりも寿命が短い。このような電解コンデンサを実装しているので、回路の寿命は、電解コンデンサ、なかでも静電容量の小さいコンデンサの寿命によって決まっていた。
【先行技術文献】
【特許文献】
【０００９】
【特許文献１】特開２００７−１４６９１号公報
【発明の概要】
【発明が解決しようとする課題】
【００１０】
前記のような電源装置において長寿命化を図るには、寿命が比較的短い過電圧保護回路部の電解コンデンサを、フィルムコンデンサやセラミックコンデンサ等の高寿命コンデンサに変えることが考えられる。
【００１１】
しかし、コストがかかり形状も大きくなるなどの不都合が生じる。
【００１２】
そこで、この発明は、コストを抑えつつも長寿命化を図ることができるようにすることを主たる課題とする。
【課題を解決するための手段】
【００１３】
そのための手段は、交流電源からの交流電圧を直流電圧にして平滑化し、遊技機内部に電源を供給する電源回路部と、該電源回路部と前記交流電源との間に設けられたリレーと、該リレーを駆動するリレー駆動回路と、過電圧が印加された場合に前記リレーの接点をオフするための信号を前記リレー駆動回路に入力する過電圧検出回路を有する遊技機用電源装置であって、前記電源回路部と前記リレー駆動回路とが、前記電源回路部で平滑化された電圧を前記リレー駆動回路に供給すべく接続されるとともに、これらリレー駆動回路と電源回路部との間に、リレー駆動回路に電源を供給する方向の電流の流れは許容する一方、これと反対方向の電流の流れを阻止する電流規制部が設けられた遊技機用電源装置である。
【００１４】
この構成では、定格電圧時には、交流電源からの電流でリレー駆動回路がリレーをオンにして、電源回路部に電流を流す。そして、この電源回路部において直流電圧に変えられるとともに平滑化された電源が、リレー電源供給路を介してリレー駆動回路に供給される。このため、リレー駆動回路に専用の電解コンデンサがなくとも、リレーの安定した動作が行われる。このとき、前記電流規制部は、電流の流れを阻止しない。
【００１５】
そして、不測にも過電圧が印加された場合には、前記リレー電源供給路を、リレー駆動回路に電圧を供給する方向とは逆の電流の流れが生じようとするが、前記電流規制部がその流れを阻止する。換言すれば、前記電流規制部は、前記リレー電源供給路を、リレー駆動回路に電源を供給する経路としてのみ使用すべく規制する役目を果たす。
【発明の効果】
【００１６】
この発明によれば、電圧平滑化のための部品を一部省略することができる。また、リレーの駆動のために流用する電源回路部の電圧平滑化のための部品の方が、省略された部品よりも長寿命である。しかも、電源回路部の電圧平滑化のための部品の耐電圧は低くてもよい。
【００１７】
このため、コストを抑えることができる。そのうえ、電源装置の寿命を、寿命が長い電源回路部の部品にあわせることができるので、電源装置全体としての長寿命化が可能である。
【図面の簡単な説明】
【００１８】
【図１】遊技機用電源装置の配線図。
【図２】定格電圧時の作用状態を示す説明図。
【図３】過電圧時の作用状態を示す説明図。
【図４】過電圧時の作用状態を示す説明図。
【図５】比較例の配線図。
【図６】比較例における定格電圧時の作用状態の説明図。
【図７】比較例における定格電圧時の作用状態の説明図。
【図８】比較例における過電圧時の作用状態を示す説明図。
【図９】比較例における過電圧時の作用状態を示す説明図。
【図１０】従来技術の配線図。
【発明を実施するための形態】
【００１９】
この発明を実施するための一形態を、以下図面を用いて説明する。  
図１は、遊技機用電源装置１１（以下、「電源装置」という。）の配線図であり、この図に示すように、電源装置１１は、交流電源１２からの電流をオンオフ切換する主スイッチ１３と、交流電源１２からの交流電圧を直流電圧にして平滑化し、遊技機内部に電源を供給する電源回路部１４と、定格電圧より大きい過電圧が印加されたときにそれを検知して電流の流れを阻止する過電圧保護回路部１５を有する。
【００２０】
前記電源回路部１４は、交流電圧を直流電圧に変えるダイオード・ブリッジ１４ａと、電圧を平滑化するための電解コンデンサ１４ｂを有する。図中、１４ｃはＤＣ／ＤＣコンバータ、１４ｄは第２電解コンデンサである。
【００２１】
前記過電圧保護回路１５は、前記交流電源１２と前記電源回路部１４との間に設けられたリレー１５ａと、該リレー１５ａを駆動するためのリレー駆動回路１５ｂと、過電圧が印加された場合に前記リレー１５ａの接点をオフするための信号を前記リレー駆動回路１５ｂに入力する過電圧検出回路１５ｃと、交流電圧を直流電圧に変換するダイオード・ブリッジ１５ｄとを有する。
【００２２】
そして、前記電源回路部１４の電解コンデンサ１４ｂと、前記過電圧保護回路部１５のリレー駆動回路１５ｂとが、リレー電源供給路２１，２２で接続されている。これは、電源回路部１４で平滑化された電源を前記リレー駆動回路１５に供給するためのものである。すなわち、リレー電源供給路２１，２２が設けられることにより、電解コンデンサ１４ｂとリレー駆動回路１５ｂとの間において、図１に細い実線で示したように電流が行き来することになる。
【００２３】
このリレー電源供給路２１，２２に電流が流れるときにリレー電源供給路２１，２２がリレー駆動回路１５ｂに電源を供給する以外に使用されないようにすべく、リレー電源供給路２１，２２には、電流規制部２３が設けられている。これは、過電圧が印加したときに所望しない電流ループが発生することを防止するためで、電解コンデンサ１４ｂからリレー駆動回路１５ｂへの電源の供給は許容する一方で、これと反対側の電流の流れを阻止するものである。
【００２４】
電流規制部２３は、ダイオード２３ａ，２３ｂのみで構成され、図１に示したように、電解コンデンサ１４ｂからリレー駆動回路１５ｂに向けての電流のみを許容するダイオード２３ａと、リレー駆動回路１５ｂから電解コンデンサ１４ｂに向けての電流のみを許容するダイオード２３ｂを有する。
【００２５】
このダイオード２３ａ，２３ｂは、過電圧保護回路部１５ｃを流れる電流が微小なものであることから、電流許容値の小さい安価なものを使用できる。
【００２６】
このように構成された電源装置では、定格電圧時には、主スイッチ１３をオンにすると、図２に細い実線矢印５１ａと破線矢印５１ｂで示したように電流が流れて、リレー駆動回路１５ｂに電源が供給され、リレー１５ａがオンになる。前記実線矢印５１ａと破線矢印５１ｂは、図２の右側に電圧を示す図に示した実線ａまたは破線ｂに対応している。またその図における一点鎖線ｃは定格電圧を示す。以下、同様である。
【００２７】
前記リレー１５ａがオン切換されると、実線５２ａと破線５２ｂの矢印で示したように電流が流れて電源回路部１４の電解コンデンサ１４ｂが電荷を蓄える。そして、遊技機に電源を供給する一方で、太い実線矢印５３で示したように、前記リレー電源供給路２１，２２を通して、リレー駆動回路１５ｂに電源が供給される。これにより、リレー１５ａの動作が安定する。
【００２８】
このとき、リレー電源供給路２１，２２のダイオード２３ａ，２３ｂは、リレー駆動回路１５ｂに対する前記電流の流れを許容する。
【００２９】
そして、万が一、過電圧が印加した場合には、図３に示したように、過電圧検出回路１５ｃが過電圧を検出してリレー駆動回路１５ｂを介してリレー１５ａをオフ切換するので、遊技機への電源供給が遮断される。このため、交流電源１２から主スイッチ１３を経て電源回路部１４に入った電流は、実線矢印５４ａで示したように、電解コンデンサ１４ｂからリレー１５ａに向けて流れようとするものの電流はリレー１５ａで遮断される。また、その一方で、電流は電解コンデンサ１４ｂからリレー電源供給路２２を通って過電圧保護回路部１５へと流れようとする。この流れは、電解コンデンサ１４ｂからリレー駆動回路１５ｂに電源を供給するときの方向とは逆である。
【００３０】
しかし、その電流の流れを、リレー電源供給路２２のダイオード２３ｂが阻止する。この結果、電流が循環する電流ループは生じない。したがって、過電圧が流れることによって回路部品が損傷するようなこともなく、遊技機への悪影響も阻止できる。
【００３１】
また、図４に示したように、過電圧検出回路１５ｃが過電圧を検出してリレー駆動回路１５ｂを介してリレー１５ａをオフ切換するので、遊技機への電源供給が遮断される。このため、電流は破線矢印５４ｂで示したように、交流電源１２からリレー１５ａに向けて流れようとするものの、その電流はリレー１５ａで遮断される。また、その一方で、リレー駆動回路１５ｂに流れた電流は、リレー電源供給路２１を通って電源回路部１４に流れようとする。この流れは、電解コンデンサ１４ｂからリレー駆動回路１５ｂに電源を供給するときの方向とは逆である。
【００３２】
しかし、その電流の流れを、リレー電源供給路２１のダイオード２３ａが阻止する。この結果、電流が循環する電流ループは生じない。したがって、過電圧が流れることによって回路部品が損傷するようなこともなく、遊技機への悪影響も阻止できる。
【００３３】
このような作用効果を示すべく、図５〜図９を用いて次に比較例を説明する。この説明において、図１と同一の部位にいては同一の符号を付してその詳しい説明を省略する。
【００３４】
電源装置１１の長寿命化を図るべく、寿命が比較的短い過電圧保護回路部１５の電解コンデンサ１１０（図１０参照）を省略して、図５に太線で示したように前記リレー電源供給路２１，２２を設けただけの場合には、定格電圧時には問題はないが、過電圧が印加された場合には不都合が生じる。
【００３５】
すなわち、このようにリレー電源供給路２１，２２のみを有する構成によれば、図６に示したように主スイッチ１３をオンにすると、定格電圧時には、図２を用いて説明した場合と同様に、実線５１ａと破線５１ｂの矢印で示した如くリレー駆動回路１５ｂに電源が供給され、リレー１５ａがオン切換えされる。
【００３６】
そして、リレー１５ａがオンされると、図２を用いて説明した場合と同様に、図７に実線５２ａと破線５２ｂの矢印で示した如く電源回路１４の電解コンデンサ１４ｂに電荷を蓄えるとともに、太い矢印５３で示したように、前記リレー電源供給路２１，２２を通して、リレー駆動回路１５ｂに電源を供給する。これにより、リレー１５ａの動作が安定する。
【００３７】
しかし、過電圧が印加した場合には、不測の電流ループが発生して、印加された過電圧よりも耐電圧が低い回路部品が損傷することになる。
【００３８】
具体的には、過電圧時には、図８に示したように、交流電源１２から主スイッチ１３を経て電源回路部１４に入った電流は、実線矢印５４ａで示したように、電解コンデンサ１４ｂからリレー１５ａに向けて流れる一方で、リレー電源供給路２２を通って過電圧保護回路部１５、交流電源１２へと流れる、電流ループが生じる。
【００３９】
すると、この電流ループ上にある電源回路部１４のダイオード・ブリッジ１４ａの一部と、電解コンデンサ１４ｂと、ＤＣ／ＤＣコンバータ１４ｃと、過電圧保護回路部１５にあるダイオード・ブリッジ１５ｄの一部が、損傷することになる。
【００４０】
また、図９に破線矢印５４ｂで示したように、電流は、交流電源１２からリレー１５ａに向けて流れる一方で、過電圧保護回路部１５に流れてリレー電源供給路２１を通って電源回路部１４に入り、主スイッチ１３を通って交流電源１２へと流れる電流ループが生じる。
【００４１】
この場合にも、この電流ループ上にある過電圧保護回路部１５のダイオード・ブリッジ１５ｄの一部と、電源回路部１４における電解コンデンサ１４ｂと、ＤＣ／ＤＣコンバータ１４ｃと、ダイオード・ブリッジ１４ａの一部が損傷することになる。
【００４２】
この比較例との対比からも明らかなように、リレー電源供給路２１，２２に電流規制部２３を備えた電源装置１１では、過電圧が印加された場合には、過電圧検出回路１５ｃの検出に基づいてリレー１５ａをオフ切換して電源回路部１４を保護するとともに、不測の電流ループができて回路部品を損傷してしまうようなことも回避できる。しかも、リレー駆動回路１５ｂ専用の電解コンデンサを省略して、電源回路部１４の電解コンデンサ１４ｂをリレー駆動回路１５ｂのために流用したので、電解コンデンサの数を抑えることができ、コストの低減を図ることができる。リレー電源供給路２１，２２に別途ダイオード２３ａ，２３ｂを設けるものの、このダイオード２３ａ，２３ｂは、微小電流用の小さなものでよいため、コストの削減効果は得られる。
【００４３】
そして、従来のリレー駆動回路１５ｂのための電解コンデンサには、耐電圧の高いものを使用しなければならなかったが、その必要はなく、また、静電容量が小さくて寿命が比較的短いものを使用する必要もない。却って、電源回路部１４に用いる静電容量の大きい電解コンデンサ１４ｂを使用することになるため、電源装置１１全体としては、リレー駆動回路専用の寿命の短い電解コンデンサを基準にしていた従来の場合に比して、寿命が延びることになる。
【００４４】
このように、コストを抑えつつも電源装置１１の長寿命化を図ることができる。
【００４５】
また、必要な電解コンデンサ１４ｂ，１４ｄは電源回路部１４のみに設けられることになるので、電解コンデンサ１４ｂ，１４ｄが劣化したときに交換してもよく、その場合には、電解コンデンサ１４ｂ，１４ｄの数が少ない上に、電源回路部１４のみを対象とすればよいので、その作業は容易である。
【００４６】
以上はこの発明を実施するための一形態であって、この発明は、前記の構成のみに限定されることはなく、その他の構成を採用することもできる。
【００４７】
たとえば、電流規制部は、ダイオードのみで構成するほか、トランジスタなどの回路部品を適宜用いて構成されたものであってもよい。
【符号の説明】
【００４８】
１１…遊技機用電源装置
１２…交流電源
１４…電源回路部
１５ａ…リレー
１５ｂ…リレー駆動回路
１５ｃ…過電圧検出回路
２１，２２…リレー電源供給路
２３…電流規制部
２３ａ，２３ｂ…ダイオード
【図１】
0005505144.tif 000002
【図２】
0005505144.tif 000003
【図３】
0005505144.tif 000004
【図４】
0005505144.tif 000005
【図５】
0005505144.tif 000006
【図６】
0005505144.tif 000007
【図７】
0005505144.tif 000008
【図８】
0005505144.tif 000009
【図９】
0005505144.tif 000010
【図１０】
0005505144.tif 000011